(57)【要約】【課題】  導入側光ケーブルから延びる光ファイバ心線を保持する導入側トレイと、構内側光ケーブルから延びる光ファイバ心線を保持する構内側トレイとを有する光ケーブル接続部収納用キャビネットにおいて、両トレイ間における不使用光ファイバ心線などの滞留による錯綜状態を解消し、両トレイ間に光ファイバ心線接続用の余裕のある作業空間をもたらすこと。【解決手段】  所定の間隔を置いて並置された導入側及び構内側の両トレイ３，４の相互に対向する側縁部３０Ａ，４０Ａに光ファイバ結合用アダプタ３３，４３を整列して設け、導入側トレイのアダプタには導入側心線Ａ１を接続し、構内側トレイのアダプタには構内側心線Ｂ１を接続し、両端にプラグ２１，２２を備えた光パッチコード２の一方のプラグを導入側トレイのアダプタ３３に差込み、他方のプラグを構内側トレイのアダプタ４３に差し込むことによって、導入側と構内側の光ケーブルを接続するようにする。【選択図】  図１
2006126404.tif 000002
【特許請求の範囲】
【請求項１】
導入側光ファイバケーブルと構内側光ファイバケーブルとの接続位置に設置され、
前記導入側光ファイバケーブルから延びる導入側光ファイバ心線と、一端がこの導入側光ファイバ心線に結合され他端が心線接続用プラグを有している導入側接続用光ファイバ心線とを保持し、更に、前記導入側光ファイバ心線と導入側接続用光ファイバ心線との結合部を支持する支持部と、この支持部前後の光ファイバ心線余長を保持する心線余長処理部と、前記心線接続用プラグが接続された光ファイバ結合用アダプタとを備えている導入側トレイ、及び
前記構内側光ファイバケーブルから延びる構内側光ファイバ心線と、一端がこの構内側光ファイバ心線に結合され他端が心線接続用プラグを有している構内側接続用光ファイバ心線とを保持し、更に、前記構内側光ファイバ心線と構内側接続用光ファイバ心線との結合部を支持する支持部と、この支持部前後の光ファイバ心線余長を保持する心線余長処理部と、前記構内側接続用光ファイバ心線に設けられた心線接続用プラグが接続された光ファイバ結合用アダプタとを備えている構内側トレイを有し、
前記導入側および構内側の両トレイが、それぞれに所属する光ファイバ結合用アダプタを対向させた状態で、所定の作業用間隙を隔てて並置されており、
前記導入側および構内側のトレイ間での光ファイバ心線の接続が、両端にプラグを備えた光パッチコードの一方のプラグを前記導入側トレイの光ファイバ結合用アダプタに接続し、他方のプラグを前記構内側トレイの光ファイバ結合用アダプタに接続することによって行われること、
を特徴とする光ケーブル接続部収納用キャビネット。
【請求項２】
複数の前記光ファイバ結合用アダプタが、前記導入側トレイおよび構内側トレイの互いに対向するトレイ縁部に整列して設けられていること、を特徴とする請求項１に記載の光ケーブル接続部収納用キャビネット。
【請求項３】
前記導入側トレイおよび構内側トレイが、それぞれ複数枚づつ上下に重ね合わされて配列され、更に各トレイが前記キャビネットの背板に回動可能にヒンジ結合されていること、を特徴とする請求項１または２に記載の光ケーブル接続部収納用キャビネット。
【請求項４】
前記構内側トレイと構内側光ファイバケーブルとの間に、構内側光ファイバケーブルから延びる構内側光ファイバ心線のうち構内側トレイに導入されない予備の未使用光ファイバ心線が巻きつけられる余長処理ドラムが設けられていること、を特徴とする請求項１〜３のいずれか１つに記載の光ケーブル接続部収納用キャビネット。
【発明の詳細な説明】
【技術分野】
【０００１】
本発明は、光ファイバケーブルの配線区間において、通信事業者から構内へ導入される導入側光ファイバケーブル（以下、導入側ケーブルと略称する）と、構内のユーザー側光ファイバケーブル（以下、構内側ケーブルと略称する）との接続位置に設置され、光ファイバケーブルの接続や分岐配線に用いる光ケーブル接続部収納用キャビネットに関する。
【背景技術】
【０００２】
一般に、前記光ケーブル接続部収納用キャビネットは、導入側ケーブルから延びる光ファイバ心線を処理するための導入側トレイと、構内側ケーブルから延びる光ファイバ心線を処理するための構内側トレイを有している。図６は、従来の導入側トレイ及び構内側トレイと、両トレイ間における光ファイバ心線の接続の状態を模式的に示すものであり、図中、１００は導入側トレイ、２００は構内側トレイである。
【０００３】
前記導入側トレイ１００は、導入側ケーブルＡから延びる光ファイバ心線Ａ１とこの光ファイバ心線Ａ１に結合される接続用光ファイバ心線Ａ２との心線結合部Ａ１２を支持する支持部１００ａ、及びこの支持部１００ａから延びる心線余長を保持する心線余長処理部１００ｂを有しており、前記接続用光ファイバ心線Ａ２の接続用端末Ａ３は、導入側トレイ１００の一側縁部に設けた光ファイバ接続用アダプタ１００ｃに結合されている。
【０００４】
一方、前記構内側トレイ２００は、構内側ケーブルＢから延びる光ファイバ心線Ｂ１とこの光ファイバ心線Ｂ１に結合される接続用光ファイバ心線Ｂ２との心線結合部Ｂ１２を支持する支持部２００ａ、及びこの支持部２００ａから延びる心線余長を保持する心線余長処理部２００ｂを有しており、前記接続用光ファイバ心線Ｂ２の末端には、前記導入側トレイ１００に設けた光ファイバ結合用アダプタ１００ｃに差込み結合可能のプラグＢ３が設けられている。
【０００５】
前記構内側光ファイバ心線Ｂ１を導入側光ファイバ心線Ａ１と接続して光回線を形成する場合、前記プラグＢ３が前記アダプタ１００ｃに差込まれ、その結果、プラグＢ３側のフェルール部とアダプタ１００ｃ側のフェルール部において光ファイバ心線同士の光接続が達成される。
【０００６】
上記のような構成の従来の光ケーブル接続部収納用キャビネットは、例えば下記特許文献１、２に記載されている。
【０００７】
【特許文献１】特開平１０−３００９４２号公報
【特許文献２】特開平１０−３００９４４号公報
【発明の開示】
【発明が解決しようとする課題】
【０００８】
保守管理やルート変更（線路切り替え）の場合、或いは回線を使用しなくなった場合には、前記プラグＢ３が前記アダプタ１００ｃから引き抜かれる。引き抜かれたプラグＢ３と、このプラグを保持する接続用光ファイバ心線Ｂ２は、対向する両トレイ１００、２００間の間隙において、（図の面に対して裏面方向へ）垂れ下がった状態になる。
【０００９】
図では、便宜上、１本の光ファイバ心線同士の接続について説明したが、実際には１つの導入側トレイ１００について多数（例えば１２個）のアダプタ１００ｃが設けられており、構内側トレイ２００には前記アダプタの数に対応する数のプラグＢ３とこのプラグを保持する接続用光ファイバ心線Ｂ２とが存在し、更に導入側及び構内側の両方において、トレイが複数枚重ね合わされて設けられているので、導入側及び構内側トレイ間の間隙において垂れ下がったままに滞留している、未接続状態の接続用光ファイバ心線の数が非常に多くなってしまう場合が生じる。
【００１０】
従来、このような不使用又は未接続状態の接続用光ファイバ心線の処理や収容に対する十分な考慮が払われておらず、そのため上記両トレイ間の間隙内で多くの光ファイバ心線及びプラグが混線、輻輳又は錯綜した状態になり、そのような雑然とした間隙内で両トレイ間の光ファイバ心線の接続作業及び接続解除作業を行わねばならず、正確且つ迅速な作業を行う上で大きな障害であった。
【００１１】
従って、本発明の目的は、従来の光ケーブル接続部収納用キャビネットにおけるこれら諸欠点を排除しようとするものであって、上記両トレイ間の間隙内に不使用プラグ付き光ファイバ心線が一切滞留しないようにすることである。
【課題を解決するための手段】
【００１２】
上記目的を達成する請求項１に記載の発明は、導入側光ファイバケーブルと構内側光ファイバケーブルとの接続位置に設置され、
前記導入側光ファイバケーブルから延びる導入側光ファイバ心線と、一端がこの導入側光ファイバ心線に結合され他端が心線接続用プラグを有している導入側接続用光ファイバ心線とを保持し、更に、前記導入側光ファイバ心線と導入側接続用光ファイバ心線との結合部を支持する支持部と、この支持部前後の光ファイバ心線余長を保持する心線余長処理部と、前記心線接続用プラグが接続された光ファイバ結合用アダプタとを備えている導入側トレイ、及び
前記構内側光ファイバケーブルから延びる構内側光ファイバ心線と、一端がこの構内側光ファイバ心線に結合され他端が心線接続用プラグを有している構内側接続用光ファイバ心線とを保持し、更に、前記構内側光ファイバ心線と構内側接続用光ファイバ心線との結合部を支持する支持部と、この支持部前後の光ファイバ心線余長を保持する心線余長処理部と、前記構内側接続用光ファイバ心線に設けられた心線接続用プラグが接続された光ファイバ結合用アダプタとを備えている構内側トレイを有し、
前記導入側および構内側の両トレイが、それぞれに所属する光ファイバ結合用アダプタを対向させた状態で、所定の作業用間隙を隔てて並置されており、
前記導入側および構内側のトレイ間での光ファイバ心線の接続が、両端にプラグを備えた光パッチコードの一方のプラグを前記導入側トレイの光ファイバ結合用アダプタに接続し、他方のプラグを前記構内側トレイの光ファイバ結合用アダプタに接続することによって行われること、を特徴とする。
【００１３】
請求項１に記載の発明によれば、回線形成が必要な光ファイバ心線のみ、導入側トレイと構内側トレイとの間で光パッチコードによりクロスコネクト方式で接続が行われ、使用しなくなった回線或いは使用を中断する回線については、光パッチコード両端のプラグを関係するアダプタから引き抜くことにより、当該光パッチコードを両トレイ間の間隙から取去ってキャビネット外へ取り出してしまうことができ、従って該間隙には必要な回線を有効に維持するための光パッチコードのみが残存していることになり、極めて整理された状態になるので、該間隙内における作業性が大幅に改善され、その結果、導入側トレイと構内側トレイとの間での光ファイバ心線接続が誤接続を伴うことなく、間隙内の光パッチコードの安全性を保ちながら、確実に達成される。
【００１４】
請求項２に記載の発明は、請求項１に記載の構成において、複数の光ファイバ結合用アダプタが、前記導入側トレイおよび構内側トレイの互いに対向するトレイ縁部に整列して設けられていることを特徴とする。
【００１５】
請求項２に記載の発明によれば、導入側トレイと構内側トレイとの間での光ファイバ心線接続を行う際に、光ファイバ結合用アダプタが向かい合いに整列配置されていることにより、結合すべき２つのアダプタの判別と特定が容易になり、目的のアダプタ間での正確な光ファイバ心線接続が達成され、所望の回線が確実に形成される。
【００１６】
請求項３に記載の発明は、請求項１又は２に記載の構成において、前記導入側トレイおよび構内側トレイが、それぞれ複数枚づつ上下に重ね合わされて配列され、更に各トレイが前記キャビネットの背板に上下に揺動可能にとりつけられていることを特徴とする。
【００１７】
請求項３に記載の発明によれば、トレイを重畳配置することにより回線の数を大幅に増大させることができ、また、各トレイが上下に揺動可能に枢着されていることにより、密な状態に重畳配置されているトレイのうち、作業の必要なトレイに接近する場合、そのトレイの上方側にあるトレイを上方に押し上げて保持しておくだけでよく、従って、多数回線に対応可能な光ケーブル接続部収納用キャビネットをコンパクト化することができると共に各トレイに対する作業を簡単且つ効率よく行うことができる。
【００１８】
重畳配置されている上記トレイを、その枢着部から斜め下方へ傾斜させた状態に配置することにより、重畳トレイが占める前後方向の空間の寸法を縮小することができ、従って、光ケーブル接続部収納用キャビネットの厚さを薄くすることができる。トレイの傾斜角は、前記キャビネットの背板に直角な水平面に対して３０°程度であることが好ましい。
【００１９】
請求項４に記載の発明は、請求項１〜３のいずれかに記載の構成において、前記構内側トレイと構内側光ファイバケーブルとの間に、構内側光ファイバケーブルから延びる構内側光ファイバ心線のうち構内側トレイに導入されない予備の未使用光ファイバ心線が巻きつけられる余長処理ドラムが設けられていることを特徴とする。
【００２０】
請求項４に記載の発明によれば、構内側光ファイバ心線のうち、未使用の予備の光ファイバ心線が余長処理ドラムに余裕を持った曲率で巻かれ、整理された状態に保持されるので、該予備心線が保護されると共に、使用中の心線、或いは予備心線の中から取り出して新たに使用しようとする心線に対する処理作業を、整理された空間内で円滑に且つ確実に行うことができる。
【発明の効果】
【００２１】
本発明によれば、導入側トレイと構内側トレイとの間での光ファイバ接続、即ち回線形成が、両端にプラグを備えた光パッチコードの各プラグを所定の光ファイバ結合用アダプタに差込むことによって行われ、回線を不使用化するときには、両トレイのアダプタからプラグを引き抜き、その光パッチコードをキャビネットから取り出すことにより、両トレイ間には不使用状態の光ファイバ心線は全く存在せず、従って整然とした作業空間内での回線形成と回線解除の作業が極めて簡単且つ確実に行える光ケーブル接続部収納用キャビネットをもたらすことができる。
【発明を実施するための最良の形態】
【００２２】
図１は、本発明による光ケーブル接続部収納用キャビネット１を、蓋を開いて内部を露呈した状態で示す斜視図である。キャビネット１は前面と上面が開放可能のキャビネット本体１１と、このキャビネット本体１１の開放部を閉鎖可能に設けられたキャビネット蓋体１２を有しており、キャビネット蓋体１２はキャビネット本体１１の後部上端にヒンジ結合され、閉鎖位置と、図示の開放位置との間で揺動運動するようになされている。図２はキャビネット蓋体１２を閉鎖した状態の光ケーブル接続部収納用キャビネット１を示している。
【００２３】
図１に示すように、キャビネット本体１１の内部には導入側トレイ３の集合体３Ａと構内側トレイ４の集合体４Ａとが収納されており、両集合体はそれぞれ４枚づつの重畳されたトレイから成っている。明らかなとおり、トレイの数は４枚に限定されるものではなく、それ以上でも、それ以下であってもよい。
【００２４】
前記キャビネット１には、通信業者からビルなど建物の構内に導入される導入側光ファイバケーブル（図６の導入側ケーブル７０Ａに相当）と、構内のユーザー側へ延びるユーザー側光ファイバケーブル（図６の構内側ケーブル７０Ｂに相当）とが接続される。
【００２５】
導入側ケーブルは図示されていないが、前記キャビネット本体１１の底板１１Ａに設けられた開口を通して図の下方からキャビネット本体１１内へ引き込まれる。前記開口にはグロメット１３が設けてあり、このグロメットにより導入側ケーブルが把持され、底板１１Ａに固定される。
【００２６】
キャビネット本体１１内では導入側ケーブルはテンションメンバが露出され、このテンションメンバはキャビネット本体１１の背板１１Ｂに取付けられている
テンションメンバ固定用金具１４によって背板１１Ｂに固定され、従って導入側ケーブルは前記グロメット１３及びテンションメンバ固定用金具１４によってキャビネット本体１１に確固に固定される。
【００２７】
キャビネット本体１１内では導入側ケーブルはそのテンションメンバと共に光ファイバ心線も露出された状態になされる。一般に、一本の導入側ケーブルには数十本以上の光ファイバ心線が収容されており、キャビネット本体１１内で露出されたこれら光ファイバ心線は上記の１つ以上の導入側トレイ３へ導かれる。
【００２８】
上記構内側ケーブル（図示せず）も、導入側ケーブルと同様にグロメット１３及びテンションメンバ固定用金具１４によってキャビネット本体１１に確固に固定され、更に、キャビネット本体１１内において同様に露出されたその光ファイバ心線は、上記の１つ以上の構内側トレイ４へ導かれる。
【００２９】
上記のように、また図３に示すように、導入側トレイ３及び構内側トレイ４はそれぞれの集合体３Ａ、４Ａにおいて上下に密に重ね合わされた状態に配置され、キャビネット本体１１の背板１１Ｂにヒンジ結合されている。その場合、各トレイは背板１１Ｂの面に対して水平に延びる仮想面に対して約３０°の角度で前方下方に傾斜している。各トレイが背板１１Ｂにヒンジ結合されていることにより、最上部以外の各トレイ上で光ファイバ心線に対する処理を行う場合、例えば図３に示す集合体３Ａの上から３番目の導入側トレイ３について処理を行う場合、上から１、２番目のトレイが上方へ回動され、ステーなどを利用して、自動車のボンネットなどの場合と同様に、持上げ位置に保持される。また、各トレイが背板１１Ｂに対して前方下方へ傾斜していることにより、作業者による開放キャビネット内のトレイに対する作業が容易になる。
【００３０】
上記の導入側トレイ３及び構内側トレイ４は、左右対称形である点を除けば、実質的に同様の構成を有している。従って、以下トレイについて、導入側トレイ３を例に説明する。
【００３１】
図４は、１枚の導入側トレイ３を、図１、３の場合よりも約３倍程度拡大して斜視図にて示している。トレイ３は、例えばプラスチック成型により製作され、略四角形の扁平なトレイ本体３０を有し、トレイ本体３０の４辺には該トレイ本体から直立する縁片３０Ａ〜３０Ｄがトレイ内外を仕切るように設けられている。縁片３０Ｄの側が上記キャビネット本体１１の背板１１Ｂにヒンジ結合される側である。縁片３０Ｄの両側方には同縁辺から直角に曲がった縁辺部分にヒンジ結合用の軸受け孔３７が設けられている。
【００３２】
トレイ本体３０上には余長処理部３１と、心線結合部支持部３２が設けられている。余長処理部３１は次のような作用を果たすものである。例えば、作業者はトレイ３上から光ファイバ心線を取り出して心線結合などの処理を行うが、その際、光ファイバ心線を限度以上の急激な角度に屈曲して損傷するなどの事故を防止するために、トレイ上の光ファイバ心線には、そのような処理を見込んで余裕をもった長さを与えられている。そのような光ファイバ心線の余裕長は、安全な円弧を以って整理された状態でトレイ上に保持しておく必要があり、上記余長処理部３１がその作用を果たすものである。
【００３３】
上記余長処理部３１は、多数の案内用突片３１ａを有する板材３１ｂをトレイ本体３０上に載置固定することによって形成されている。これら案内用突片３１ａは、光ファイバ心線を緩やかな円弧で巻回できるように、板材３１ｂ上に競技場のトラックに似た態様で配列されており、トラックの周回方向に隣り合う案内用突片３１ａ間、及びトラックの内周側と外周側の案内用突片３１ａ間には所定の間隔が設けられている。また、光ファイバ心線が余長処理部から非人為的に上方へ抜け出るのを防止するために、一部の案内用突片３１ａの上端には水平方向へ延びる爪片３１ｃが形成されている。
【００３４】
上記心線結合部支持部３２は、上記導入側ケーブルから延びる光ファイバ心線とトレイ上に用意される接続用光ファイバ心線との結合部を支持する作用を果たすものであって、この結合部における光ファイバ心線の結合は、一般に公知の融着結合又はメカニカルスプライス結合によって行われる。
【００３５】
上記心線結合部支持部３２は、案内用突片３１ａによって形成される上記のトラックの一部を横切るようにトラックの上方に配置された板体３２ａと、この板体の前後の端部に設けられたスリット付きスポンジ片３２ｂ１、３２ｂ２とを有している。
【００３６】
上記導入側トレイ３は、更に複数の光ファイバ結合用アダプタ３３を有しており、各アダプタ３３はトレイ本体３０の縁片３０Ａに整列して形成された開口（図示せず）に嵌め込まれて支持されている。各アダプタはトレイ３の内側に開口するソケット部３３ａと、トレイ３の外側に開口するソケット部３３ｂとを有しており、トレイ３の内側に開口するソケット部３３ａには、トレイ３上に用意される接続用光ファイバ心線Ａ２の端部に設けられたプラグ３５が差込装着される。このプラグ３５は、例えばＳＣタイプの差込プラグである。
【００３７】
次に、上記導入側光ファイバ心線から、余長処理部３１及び心線結合部支持部３２を経由して、上記プラグ３５までの光ファイバ心線の辿る経路について説明する。トレイ本体３０上には、最大で上記プラグ３５の数に相当する数の光ファイバ心線が収納されるが、便宜上１本の光ファイバ心線の場合を例に説明する。
【００３８】
導入側光ケーブルから上方へ延びる光ファイバ心線は符合Ａ１にて示されている。この導入側光ファイバ心線Ａ１は、トレイ本体３０のヒンジ結合側の背後からトレイ本体に設けた切欠部分３０Ｅを通してトレイ本体３０上に導入され、矢印イ方向へ延ばされる。次いで、心線結合部支持部３２の板体３２ａの下を通り、余長処理部３１へ向かう（矢印ロ）。余長処理部３１では、幾つかの案内用突片３１ａ間を矢印ハ→矢印ホの経路で延び、心線結合部支持部３２に至る。
【００３９】
導入側光ファイバ心線Ａ１の端部と、トレイ３上に用意されている接続用光ファイバ心線Ａ２の端部とは、予め上記のように融着結合又はメカニカルスプライス結合により心線結合されているが、この心線結合部Ａ１２が心線結合部支持部３２上に載置され、この結合部Ａ１２の両端の光ファイバ心線部分をスポンジ片３２ｂ１、３２ｂ２に設けたスリットに差込むことにより、結合部Ａ１２は支持部３２上に定置される。
【００４０】
心線結合部支持部３２から延びる接続用光ファイバ心線Ａ２は、案内用突片３１ａ間を矢印ヘ→矢印リの経路で延び、プラグ３５に至っている。
【００４１】
余長処理部３１上での光ファイバ心線Ａ１、Ａ２の辿る経路は上述の例のみに限られるものではなく、案内用突片３１ａ間の他の様々な経路が用いられる。その際、光ファイバ心線の機能を損なわないような心線湾曲をもたらすように経路設定が行われる。
【００４２】
上記のような光ファイバ心線の処理が行われた後、上記切欠部分３０Ｅに沿って取付けられたスリット付きスポンジ３８の１つのスリットに光ファイバ心線部分を差込むことにより、トレイへの導入部における光ファイバ心線の定置が図られる。
【００４３】
上記のように、構内側トレイ４は左右対称形である点を除けば、実質的に導入側トレイ３と同様の構成を有しているが、構内側トレイ４においては、図３に示すように、構内側ケーブルから延びる構内側光ファイバ心線Ｂ１が、構内側トレイ４上に設けた余長処理部４１、心線結合部支持部４２、トレイ上に用意される接続用光ファイバ心線Ｂ２を経てプラグ４５に結合され、このプラグが構内側トレイ４の縁片に整列して設けたアダプタ４３のソケットに差込まれ、かくして構内側光ファイバ心線Ｂ１と構内側トレイ４のアダプタ４５との接続が行われる。上記プラグ４５は、上記プラグ３５同様、光ファイバ心線接続用のＳＣタイプのプラグである。もちろん、他のタイプのプラグを使用することもできる。
【００４４】
上記のように左右対称形に構成した複数の導入側トレイ３及び構内側トレイ４は、図３に示すように、間に例えば１０ｃｍ程度の作業用間隙１５をもたせて背板１１Ｂにヒンジ結合され、一体化される。この結果、導入側トレイ３のアダプタ３３と構内側トレイ４のアダプタ４３は作業用間隙１５を挟んで対向した状態に配列される。
【００４５】
図３中、符合１６は、構内側ケーブルから延びる構内側光ファイバ心線のうち、トレイ４へ導かれない予備の未使用光ファイバ心線を巻きつけて収容するための余長処理ドラムである。この余長処理ドラム１６は２つの半割の筒体で形成され、トレイ４の集合体４Ａとテンションメンバ固定用金具１４との間において、背板１１Ｂから突き出た状態で該背板に固定されている。また、余長処理ドラム１６は、予備心線を余裕のある曲率で巻きつけることができるような半径を有しており、ドラムの先端部には巻きつけられた心線の抜け出しを防止するフランジが形成されている。
【００４６】
図３中、符合１７は重ね合わされたトレイ４を束ねておくための結束用ベルトであり、同様の結束用ベルト１７はトレイ３に対しても設けられている（図１参照）。この結束ベルト１７は、トレイ３、４及び背板１１Ｂから成る集合体を搬送する際、或いはキャビネット１内に収容されたトレイ３、４に対する作業が終了した際に、重ね合わされたトレイ３、４をそれぞれ一体的に結束し、各トレイが不用意に動くことのないように、或いは動かされることのないように保持する。
【００４７】
図３のように構成された集合体の背板１１Ｂには、図１に示すように、キャビネット本体１１とキャビネット蓋体１２が取付けられ、導入側トレイ３と構内側トレイ４を収容した光ケーブル接続部収納用キャビネット１が形成される。
【００４８】
図５は、本発明において使用される光パッチコード２の１実施態様を示している。この光パッチコード２は、光ファイバ心線２０と、この心線の両端部に結合された、例えばＳＣタイプのプラグ２１、２２を有しており、これらプラグは図４に示すアダプタ３３の外側ソケット部３３ｂ、及び図３に示すアダプタ４３の外側ソケット部４３ｂに差込可能であり、これらアダプタとプラグとで光コネクタが構成される。
【００４９】
上記の構成を有する光ケーブル接続部収納用キャビネット１において、導入側光ケーブルと構内側光ケーブル間において光ファイバ心線の接続を行う場合、図１及び図３に示すように、作業用間隙１５において、光パッチコード２の一方のプラグ（例えば２１）が、導入側トレイ３のアダプタ３３のうち、接続すべき光ファイバ心線に対応する１つのアダプタの外側ソケット部３３ｂに差込まれ、次いで光パッチコード２の他方のプラグ（例えば２２）が、構内側トレイ４のアダプタ４３のうち、接続すべき光ファイバ心線に対応する１つのアダプタの外側ソケット部４３ｂに差込まれる。これによって導入側光ケーブルと構内側光ケーブル間において１本の光ファイバ心線の接続が行われ、１つの光通信回線が形成される。その他の光通信回線も、それぞれ他の光パッチコード２を用いて同様に形成される。その際、明らかなように、複数段の導入側及び構内側トレイ間における光パッチコード２による接続は、同じ段のトレイ間であっても良いし、他の段のトレイ間であってもよい。
【００５０】
光パッチコード２のプラグ２１、２２を外側ソケット３３ｂ、４３ｂに差し込む際、或いは下記のように抜き取る際、該当するトレイ３、４を上方へ回動させた状態にすると、目的の外側ソケットが見出されやすくなり、更に比較的余裕のある作業空間が得られる。
【００５１】
上記のように形成された通信回線について、例えば或る通信回線が使用されなくなった場合、その通信回線に対応する光パッチコードの両端のプラグが両側のトレイの対応する外側ソケット部から引き抜かれ、次いでこの光パッチコードは作業用間隙１５から取去られる。従って、作業用間隙１５内には使用中の通信回線に関する光パッチコードのみが存在することになり、不使用の光ファイバ心線やプラグが混在する場合と比較して、輻輳や錯綜が発生する事態が大幅に解消され、従って正確で確実な光ファイバ心線接続が達成され、また、光パッチコードも作業用間隙１５内に余裕をもって安全に収容される。
【００５２】
なお、本発明は上記実施の形態に限定されることなく、発明の趣旨を逸脱しない範囲で種々変更可能である。例えば、上記トレイ３、４は、角部が図示のような直角状ではなく、丸みを帯びたものであってもよく、またアダプタ３３、４３が設けられているトレイ縁片は、図示のように直線状ではなく、背板１１Ｂから手前方向に向かって拡大する作業用間隙１５がもたらされるように、緩やかに湾曲したものであってもよい。また、上記トレイ３とトレイ４は、それらのアダプタ３３、４３が互いに対向するように配置されるようになっていれば、完全に左右対称形である必要はない。
【図面の簡単な説明】
【００５３】
【図１】本発明による光ケーブル接続部収納用キャビネットを、キャビネット蓋体を開放した状態で示す斜視図である。
【図２】図１のキャビネットを、キャビネット蓋体を閉鎖した状態で示す斜視図である。
【図３】図１のキャビネット内に収納される複数の導入側および構内側トレイと、これらトレイを保持するキャビネットの背板との集合体の斜視図である。
【図４】導入側トレイの拡大尺斜視図である。
【図５】導入側および構内側の両トレイ間で光ファイバ心線を接続するための光パッチコードの斜視図である。
【図６】従来の光ケーブル接続部収納用キャビネットを説明するための模式図である。
【符号の説明】
【００５４】
１  光ケーブル接続部収納用キャビネット
２  光パッチコード
３  導入ケーブル側トレイ
３Ａ  （導入ケーブル側トレイ３の）集合体
４  構内ケーブル側トレイ
４Ａ  （構内ケーブル側トレイ４の）集合体
Ａ１  導入側光ファイバ心線
Ａ２  （トレイ３上に用意される）接続用光ファイバ心線
Ｂ１  構内側光ファイバ心線
Ｂ２  （トレイ４上に用意される）接続用光ファイバ心線
１２  キャビネット蓋体
１５  作業用間隙
１６  余長処理ドラム
２１  プラグ
２２  プラグ
３０  トレイ本体
３１  （トレイ３上の）余長処理部
３２  （トレイ３上の）心線結合部支持部
３３  （トレイ３上の）光ファイバ結合用アダプタ
４１  （トレイ４上の）余長処理部
４２  （トレイ４上の）心線結合部支持部
４３  （トレイ４上の）光ファイバ結合用アダプタ
【図１】
2006126404.tif 000003
【図２】
2006126404.tif 000004
【図３】
2006126404.tif 000005
【図４】
2006126404.tif 000006
【図５】
2006126404.tif 000007
【図６】
2006126404.tif 000008